(57)【要約】【構成】積層体１２は、非磁性体シートＳＨ１ａ〜ＳＨ２ｂと磁性体シートＳＨ２ａ〜ＳＨ２ｃとを積層してなる。コイル導体１４は、磁性体の一部が磁芯をなしかつ巻回軸が積層体の主面に沿って延びるように、積層体１２に設けられる。コイル導体１４は、各々が磁性体の一方主面側を延びる複数の線状導体１４ａ，１４ａ，…、各々が磁性体の他方主面側を延びる複数の線状導体１４ｂ，１４ｂ，…、および磁性体によって囲まれるように積層体１２の厚み方向に形成された複数のビアホール導体１４ｃ，１４ｃ，…１４ｄ，１４ｄ，…を有する。複数のビアホール導体１４ｃ，１４ｃ，…１４ｄ，１４ｄ，…は、線状導体１４ａ，１４ａ，…，１４ｂ，１４ｂ，…とともに巻回体を形成する。【効果】無線通信性能の劣化を抑えることができる。【選択図】図１
2015128302.tif 000002
【特許請求の範囲】
【請求項１】
コイルアンテナ素子をプリント配線板の主面の角部に実装してなるアンテナモジュールであって、
前記コイルアンテナ素子は、磁性層を有するコア、および前記磁性層の一部が磁芯をなすように前記コアに設けられたコイル導体を備え、前記プリント配線板の主面に直交する方向から眺めて前記コイル導体の巻回軸が前記角部を定義する２つの直線の両方と交差するように実装される、アンテナモジュール。
【請求項２】
前記角部を定義する２つの直線は互いに直交し、
前記コイルアンテナ素子は、前記プリント配線板の主面と対向する長方形の実装面を有し、前記長方形の長辺および短辺が前記角部を定義する２つの直線にそれぞれ沿うように実装される、請求項１記載のアンテナモジュール。
【請求項３】
前記コイル導体は、前記磁性層の一方主面側を前記実装面に沿って延びる複数の第１線状導体、および前記磁性層の他方主面側を前記実装面に沿って延びる複数の第２線状導体を含み、
前記複数の第１線状導体の各々は前記長方形の短辺に対して第１角度をなす第１方向に延び、
前記複数の第２線状導体の各々は前記長方形の短辺に対して前記第１角度よりも大きい第２角度をなす第２方向に延びる、請求項２記載のアンテナモジュール。
【請求項４】
前記コイル導体は、前記複数の第１線状導体および前記複数の第２線状導体とともに巻回体を形成するべく前記コアの厚み方向に形成された複数のビアホール導体をさらに含む、請求項３記載のアンテナモジュール。
【請求項５】
前記第１線状導体および前記第２線状導体の各々の少なくとも一部は前記磁性層の外側に位置し、
前記第１線状導体および前記第２線状導体の間には、前記磁性層の透磁率よりも低い透磁率を有する層を挟むことなく、前記磁性層が設けられている、請求項３または４記載のアンテナモジュール。
【請求項６】
前記コアは、前記磁性層の透磁率よりも低い透磁率を有して前記磁性層の一方主面側に積層され、前記複数の第１線状導体とそれぞれ並列接続される複数の第３線状導体を前記磁性層から遊離した位置で支持する第１低透磁率層をさらに有する、請求項５記載のアンテナモジュール。
【請求項７】
前記複数の第３線状導体の各々の線幅は前記磁性層からの距離が増大するほど拡大される、請求項６記載のアンテナモジュール。
【請求項８】
並列接続された前記第１線状導体および前記第３線状導体は積層方向から眺めて互いに異なる位置に設けられる、請求項６または７記載のアンテナモジュール。
【請求項９】
前記コアは、前記磁性層の透磁率よりも低い透磁率を有して前記磁性層の他方主面側に積層され、前記複数の第２線状導体とそれぞれ並列接続される複数の第４線状導体を前記磁性層から遊離した位置で支持する第２低透磁率層をさらに有する、請求項６ないし８のいずれかに記載のアンテナモジュール。
【請求項１０】
前記コアは、前記磁性層の一方主面側に積層されて無線通信素子が実装される実装層をさらに有し、
前記無線通信素子は前記コイル導体と接続される、請求項１ないし９のいずれかに記載のアンテナモジュール。
【請求項１１】
前記巻回軸との交差を回避するように前記プリント配線板の主面に実装されたインダクタンス素子および／またはキャパシタンス素子をさらに備える、請求項１ないし１０のいずれかに記載のアンテナモジュール。
【請求項１２】
前記巻回軸と交差するように前記プリント配線板の主面に実装されたインダクタンス素子をさらに備える、請求項１ないし１０のいずれかに記載のアンテナモジュール。
【発明の詳細な説明】
【技術分野】
【０００１】
この発明は、アンテナモジュールに関し、磁性層を有するコアと磁性層の一部が磁芯をなすようにコアに設けられたコイル導体とを有するコイルアンテナ素子を、プリント配線板の主面に実装してなる、アンテナモジュールに関する。
【背景技術】
【０００２】
この種のコイルアンテナ素子の一例が、特許文献１に開示されている。この背景技術によれば、磁性体アンテナは、磁性体と非磁性体とからなるコアを中心として電極材料がコイル状となるように形成される。また、コイル状の電極材料を形成した一方または両方の外側面には、絶縁層が形成される。さらに、磁束に対し垂直となるコアの断面は、磁性体が非磁性体によって分割されるように形成される。これによって、小型化と通信感度の向上とが両立される。
【０００３】
なお、“コイルアンテナ”とは、コイル導体に生じる磁界を介して通信相手側アンテナと無線通信するものであり、無線信号の周波数としては、主にＨＦ帯が利用される。
【先行技術文献】
【特許文献】
【０００４】
【特許文献１】特開２００９−２８４４７６号公報
【発明の概要】
【発明が解決しようとする課題】
【０００５】
しかし、背景技術では、コイル状の電極材料がコアの表面に巻回されるため、磁界はコアの側面方向および主面方向に等方的に発生する。すると、磁性体アンテナの近傍に実装される金属物体と磁界との干渉に起因して磁界形成不良が生じ、これによって無線通信性能が劣化するおそれがある。具体的には、十分な通信距離を確保できなかったり、金属物体の実装位置の変更によって通信特性がばらつくことが懸念される。
【０００６】
それゆえに、この発明の主たる目的は、無線通信性能の劣化を抑えることができる、アンテナモジュールを提供することである。
【課題を解決するための手段】
【０００７】
この発明に係るアンテナモジュールは、コイルアンテナ素子をプリント配線板の主面の角部に実装してなるアンテナモジュールであって、コイルアンテナ素子は、磁性層を有するコア、および磁性層の一部が磁芯をなすようにコアに設けられたコイル導体を備え、プリント配線板の主面に直交する方向から眺めてコイル導体の巻回軸が角部を定義する２つの直線の両方と交差するように実装される。
【０００８】
好ましくは、角部を定義する２つの直線は互いに直交し、コイルアンテナ素子は、プリント配線板の主面と対向する長方形の実装面を有し、長方形の長辺および短辺が角部を定義する２つの直線にそれぞれ沿うように実装される。
【０００９】
さらに好ましくは、コイル導体は、磁性層の一方主面側を実装面に沿って延びる複数の第１線状導体、および磁性層の他方主面側を実装面に沿って延びる複数の第２線状導体を含み、複数の第１線状導体の各々は長方形の短辺に対して第１角度をなす第１方向に延び、複数の第２線状導体の各々は長方形の短辺に対して第１角度よりも大きい第２角度をなす第２方向に延びる。
【００１０】
或る局面では、コイル導体は、複数の第１線状導体および複数の第２線状導体とともに巻回体を形成するべくコアの厚み方向に形成された複数のビアホール導体をさらに含む。
【００１１】
他の局面では、第１線状導体および第２線状導体の各々の少なくとも一部は磁性層の外側に位置し、第１線状導体および第２線状導体の間には、磁性層の透磁率よりも低い透磁率を有する層を挟むことなく、磁性層が設けられている。
【００１２】
この場合、好ましくは、コアは、磁性層の透磁率よりも低い透磁率を有して磁性層の一方主面側に積層され、複数の第１線状導体とそれぞれ並列接続される複数の第３線状導体を磁性層から遊離した位置で支持する第１低透磁率層をさらに有する。
【００１３】
複数の第３線状導体の各々の線幅は磁性層からの距離が増大するほど拡大されてもよく、並列接続された第１線状導体および第３線状導体は積層方向から眺めて互いに異なる位置に設けられてもよい。さらに、コアは、磁性層の透磁率よりも低い透磁率を有して磁性層の他方主面側に積層され、複数の第２線状導体とそれぞれ並列接続される複数の第４線状導体を磁性層から遊離した位置で支持する第２低透磁率層をさらに有してもよい。
【００１４】
好ましくは、コアは、磁性層の一方主面側に積層されて無線通信素子が実装される実装層をさらに有し、無線通信素子はコイル導体と接続される。
【００１５】
好ましくは、巻回軸との交差を回避するようにプリント配線板の主面に実装されたインダクタンス素子および／またはキャパシタンス素子がさらに備えられる。
【００１６】
好ましくは、巻回軸と交差するようにプリント配線板の主面に実装されたインダクタンス素子がさらに備えられる。
【発明の効果】
【００１７】
コイルアンテナ素子は、プリント配線板の主面の角部に実装される。このとき、コイル導体の巻回軸は、当該主面に直交する方向から眺めて、当該主面の角部を定義する２つの直線の両方と交差する。これによって、プリント配線板に実装された他の素子がコイルアンテナ素子における磁界の生成を妨げる事態が回避され、無線通信性能の劣化が抑えられる。
【００１８】
この発明の上述の目的，その他の目的，特徴および利点は、図面を参照して行う以下の実施例の詳細な説明から一層明らかとなろう。
【図面の簡単な説明】
【００１９】
【図１】この実施例のコイルアンテナ素子を分解した状態を示す図解図である。
【図２】この実施例のコイルアンテナ素子の外観を示す斜視図である。
【図３】この実施例のコイルアンテナ素子の構成を示す等価回路図である。
【図４】この実施例のアンテナモジュールを示す斜視図である。
【図５】（Ａ）はこの実施例のアンテナモジュールを示す平面図であり、（Ｂ）は（Ａ）に示すアンテナモジュールのＡ−Ａ断面図である。
【図６】この実施例のアンテナモジュールの構成を示す等価回路図である。
【図７】（Ａ）はコイルアンテナ素子で形成された磁界の一部を示す図解図であり、（Ｂ）はコイルアンテナ素子で形成された磁界の他の一部を示す図解図である。
【図８】（Ａ）はコイルアンテナ素子で生成された磁界によって励起される渦電流の発生領域の一例を示す図解図であり、（Ｂ）は渦電流の発生領域の大きさを比較するための参考図である。
【図９】コイルアンテナ素子とプリント配線板との位置関係の一例を示す図解図である。
【図１０】他の実施例のコイルアンテナ素子を分解した状態を示す図解図である。
【図１１】その他の実施例のコイルアンテナ素子を分解した状態を示す図解図である。
【図１２】図１１に示すコイルアンテナ素子の外観を示す斜視図である。
【図１３】（Ａ）は図１２に示すコイルアンテナ素子のＢ−Ｂ断面図であり、（Ｂ）は図１２に示すコイルアンテナ素子のＣ−Ｃ断面図である。
【図１４】さらにその他の実施例のコイルアンテナ素子を分解した状態を示す図解図である。
【図１５】他の実施例のコイルアンテナ素子を分解した状態を示す図解図である。
【図１６】その他の実施例のコイルアンテナ素子を分解した状態を示す図解図である。
【図１７】さらにその他の実施例のコイルアンテナ素子を分解した状態を示す図解図である。
【図１８】図１７に示すコイルアンテナ素子の外観を示す斜視図である。
【図１９】図１８に示すコイルアンテナ素子のＤ−Ｄ断面図である。
【図２０】その他の実施例のコイルアンテナ素子を分解した状態を示す図解図である。
【図２１】さらにその他の実施例のアンテナモジュールを示す平面図である。
【図２２】図２１に示すアンテナモジュールの構成を示す等価回路図である。
【発明を実施するための形態】
【００２０】
図１および図２を参照して、この実施例のコイルアンテナ素子１０は、各々の上面または下面が長方形をなす非磁性体シートＳＨ１ａ，ＳＨ１ｂおよび磁性体シートＳＨ２ａ〜ＳＨ２ｃを積層してなる扁平状の積層体１２を含む。具体的には、非磁性体シートＳＨ１ａの上に磁性体シートＳＨ２ａ〜ＳＨ２ｃがこの順で積層され、さらに磁性体シートＳＨ２ｃの上に非磁性体シートＳＨ１ｂが積層される。積層体１２の上面または下面をなす長方形の長辺および短辺はそれぞれＸ軸およびＹ軸に沿って延び、積層体１２の厚みはＺ軸に沿って増大する。なお、“積層体”は“コア”と同義である。
【００２１】
非磁性体シートＳＨ１ａの上面には複数の線状導体１４ａ，１４ａ，…が形成され、磁性体シートＳＨ２ｃの上面には複数の線状導体１４ｂ，１４ｂ，…が形成される。複数の線状導体１４ａ，１４ａ，…は共通の方向に延びる姿勢でＸ軸方向に等間隔に並び、複数の線状導体１４ｂ，１４ｂ，…も共通の方向に延びる姿勢でＸ軸方向に等間隔に並ぶ。
【００２２】
複数の線状導体１４ａ，１４ａ，…の各々の両端は、磁性体シートＳＨ２ａの下面のＹ軸方向両端よりも内側に配置される。また、複数の線状導体１４ａ，１４ａ，…のうちＸ軸方向における両側の２つの線状導体１４ａ，１４ａは、磁性体シートＳＨ２ａの下面のＸ軸方向両端よりも内側に配置される。
【００２３】
また、複数の線状導体１４ｂ，１４ｂ，…の各々の両端は、磁性体シートＳＨ２ｃの上面のＹ軸方向両端よりも内側に配置される。また、複数の線状導体１４ｂ，１４ｂ，…のうちＸ軸方向における両側の２つの線状導体１４ｂ，１４ｂは、磁性体シートＳＨ２ｃの上面のＸ軸方向両端よりも内側に配置される。
【００２４】
ただし、線状導体１４ｂが延びる方向はＹ軸と略平行な方向である一方、線状導体１４ａが延びる方向はＹ軸に対して斜め方向である。つまり、線状導体１４ｂはＹ軸に対して０°をなす方向に延びる一方、線状導体１４ａはＹ軸に対して０°を上回る角度をなす方向に延びる。また、線状導体１４ａの一方端から他方端までのＸ軸方向における距離は、隣り合う２つの線状導体１４ｂ，１４ｂの間隔と一致する。さらに、或る線状導体１４ａの一方端および他方端の真上には、或る線状導体１４ｂの一方端と他の線状導体１４ｂの他方端とが存在する。また、線状導体１４ａの数は、線状導体１４ｂの数よりも１つ少ない。
【００２５】
積層体１２にはまた、線状導体１４ａの一方端と線状導体１４ｂの一方端とを互いに接続するべく磁性体シートＳＨ２ａ〜ＳＨ２ｃをＺ軸方向に貫通する複数のビアホール導体１４ｃ，１４ｃ，…が形成される。積層体１２にはさらに、線状導体１４ａの他方端と線状導体１４ｂの他方端とを互いに接続するべく磁性体シートＳＨ２ａ〜ＳＨ２ｃをＺ軸方向に貫通する複数のビアホール導体１４ｄ，１４ｄ，…が形成される。
【００２６】
線状導体１４ａの両端と線状導体１４ｂの両端との位置関係は上述のとおりであるため、ビアホール導体１４ｃおよび１４ｄの周りは磁性体によって囲まれ、線状導体１４ａおよび１４ｂはビアホール導体１４ｃおよび１４ｄとともに巻回体（コイル導体１４）をなす。この巻回体の内側の磁性体と線状導体１４ａ，１４ｂおよびビアホール導体１４ｃ，１４ｄとによって、コイルアンテナが形成される。
【００２７】
積層体１２の下面には、Ｘ軸方向における正側の端部近傍に対応して導電端子１６ａが形成され、Ｘ軸方向における負側の端部近傍に対応して導電端子１６ｂが形成される。コイル導体１４の一方端をなすビアホール導体１４ｃは、非磁性体シートＳＨ１ａをさらに貫通して導電端子１６ａと接続される。また、コイル導体１４の他方端をなすビアホール導体１４ｄは、非磁性体シートＳＨ１ａをさらに貫通して導電端子１６ｂと接続される。
【００２８】
こうして作製されたコイルアンテナ素子１０の等価回路は、図３に示すように構成される。図３によれば、インダクタＬ１の一方端が導電端子１６ａと接続され、インダクタＬ１の他方端が導電端子１６ｂと接続される。
【００２９】
図４，図５（Ａ）〜図５（Ｂ）を参照して、コイルアンテナ素子１０は、コイル導体１４の巻回軸がプリント配線板１４の主面に沿うように、アンテナモジュール５０の一部をなすプリント配線板４０に実装される。プリント配線板４０にはまた、無線信号の処理を行うＲＦＩＣ素子２０が実装され、さらに各々がインダクタスおよび／またはキャパシタンスを有する複数の受動素子３０，３０，３０が実装される。プリント配線板４０の上面および下面は長方形をなし、上面には配線導体ＬＤが形成され、内部にはその略全面にグランド層ＧＮＤが埋め込まれる。
【００３０】
コイルアンテナ素子１０に設けられた導電端子１６ａおよび１６ｂは、半田ペーストを介して配線導体ＬＤと接続される。受動素子３０も、半田ペーストを介して配線導体ＬＤと接続される。一方、無線信号の処理を行うＲＦＩＣ素子２０は、その下面に形成された半田バンプを介して配線導体ＬＤと接続される。
【００３１】
グランド層ＧＮＤは、上面および下面が長方形をなすように形成される。この長方形の長辺および短辺はそれぞれ、プリント配線板４０の上面または下面をなす長方形の長辺および短辺よりも短い。また、グランド層ＧＮＤは、グランド層ＧＮＤの上面および下面がプリント配線板４０の上面および下面に対して平行となり、かつグランド層ＧＮＤの上面または下面をなす長方形の長辺および短辺がプリント配線板４０の上面または下面をなす長方形の長辺および短辺と平行に延びる姿勢で、プリント配線板４０の内部に埋め込まれる。
【００３２】
コイルアンテナ素子１０は、積層体１２の上面または下面をなす長方形の長辺がグランド層ＧＮＤの上面または下面をなす長方形の長辺と平行に延びる姿勢で、プリント配線板４０の上面中央よりもＸ軸方向における負側でかつＹ軸方向における負側の位置に実装される。ただし、Ｚ軸方向から眺めたとき、積層体１２の上面または下面をなす長方形は、グランド層ＧＮＤの上面または下面をなす長方形の内側に収まる。
【００３３】
こうして作製されたアンテナモジュール５０の等価回路は、図６に示すように構成される。図６によれば、インダクタＬ１の一方端はキャパシタＣ２およびインダクタＬ２を介してＲＦＩＣ２０の端子Ｔ１と接続され、インダクタＬ１の他方端はキャパシタＣ３およびインダクタＬ３を介してＲＦＩＣ２０の端子Ｔ２と接続される。また、インダクタＬ１とキャパシタＣ２との接続点にはキャパシタＣ１の一方端が接続され、インダクタＬ１とキャパシタＣ３との接続点にはキャパシタＣ１の他方端が接続される。
【００３４】
さらに、キャパシタＣ２とインダクタＬ２との接続点にはキャパシタＣ４の一方端が接続され、キャパシタＣ３とインダクタＬ３との接続点にはキャパシタＣ４の他方端が接続される。ここで、インダクタＬ２，Ｌ３およびキャパシタＣ４はフィルタ回路を形成し、キャパシタＣ１〜Ｃ３はマッチング回路を形成する。なお、インダクタＬ１〜Ｌ３およびキャパシタＣ１〜Ｃ４は、チップ状の受動素子３０によって構成される。
【００３５】
上述のように、コイルアンテナ素子１０を形成するコイル導体１４は、磁性体の一部が磁芯をなしかつ巻回軸が積層体１２の主面に沿って延びるように積層体１２に設けられる。また、コイル導体１４の一部をなすビアホール導体１４ｃおよび１４ｄは、磁性体によって囲まれるように積層体１２の厚み方向に延びる。
【００３６】
したがって、図７（Ａ）〜図７（Ｂ）に示すように、コイル導体１４で生成された磁界は、Ｘ軸方向およびＺ軸方向に向けて大きく広がる一方、Ｙ軸方向においては積層体１２の内部に封じ込められる。つまり、Ｙ軸方向に面する積層体１２の側面に現われる磁界は、大きく抑制される。この結果、コイルアンテナ素子１０の周辺に実装される受動素子３０とコイル導体１４で生成された磁界との干渉に起因する磁界形成不良が回避され、所期の無線通信性能を維持することができる。特に、受動素子３０が磁性体チップ部品を含む場合は、この効果が顕著に現れる。
【００３７】
また、コイルアンテナ素子１０は、積層体１２の上面または下面をなす長方形の長辺がグランド層ＧＮＤの上面または下面をなす長方形の長辺と平行に延びる姿勢で、かつ積層体１２の上面または下面をなす長方形がグランド層ＧＮＤの上面または下面をなす長方形に収まる位置に実装される。
【００３８】
このため、磁性体の下側に位置する複数の線状導体１４ａ，１４ａ，…はグランド層ＧＮＤの上面または下面をなす長方形の短辺に対して斜め方向に延びる一方、磁性体の正側に位置する複数の線状導体１４ｂ，１４ｂ，…はグランド層ＧＮＤの上面または下面をなす長方形の短辺に対して平行に延びる。また、磁性体の上側に位置する複数の線状導体１４ｂ，１４ｂ，…のうちＸ軸方向両端の２つの線状導体１４ｂ，１４ｂが、積層体１２の下面に設けられた導電端子１６ａおよび１６ｂと接続される。
【００３９】
したがって、コイル導体１４のＸ軸方向における負側端部においては、図８（Ａ）にハッチングで示す領域で渦電流が発生する。ただし、このハッチング領域の面積は、線状導体１４ｂをグランド層ＧＮＤの短辺に対して斜め方向に延ばしかつ線状導体１４ａをグランド層ＧＮＤの短辺に対して平行に延ばした場合の面積（図８（Ｂ）参照）に比べて狭くなる。この結果、渦電流の発生に起因する損失を抑えることができる。
【００４０】
また、コイルアンテナ素子１０の配置および線状導体１４ａ，１４ｂの長さ方向が上述のとおりであることから、コイル導体１４の巻回軸は、プリント配線板４０の上面または下面をなす長方形の特定角部（Ｘ軸方向の負側でかつＹ軸方向の負側の角部）をなす２つの直線と交差する（図９の矢印参照）。これによって、無線信号の処理を行うＲＦＩＣ素子２０および受動素子３０がコイルアンテナ素子１０における磁界の生成を妨げる事態を回避することができる。
【００４１】
なお、この実施例では、シートＳＨ１ａ〜ＳＨ１ｂとして非磁性体シートを採用し、シートＳＨ２ａ〜ＳＨ２ｃとして磁性体シートを採用するようにしている。しかし、シートＳＨ２ａおよびＳＨ２ｃとして磁性体シートを採用してもよく、或いはシートＳＨ１ａとして磁性体シートを採用してもよい。磁性体シートの透磁率よりも低い透磁率を有するシートを非磁性体シートに代えて採用するようにしてもよい。
【００４２】
図１０を参照して、他の実施例のコイルアンテナ素子１０は、非磁性体シートＳＨ１と磁性体シートＳＨ２ａとの間に別の非磁性体シートＳＨ１ａ１が積層される点、線状導体１４ｂ，１４ｂ，…が磁性体シートＳＨ２ｃの代わりに非磁性体シートＳＨ１ｂの上面に形成される点、およびビアホール導体１４ｃ，１４ｃ，…，１４ｄ，１４ｄ，…が磁性体シートＳＨ１ａ＿１およびＳＨ１ｂをさらに貫通する点を除き、図１に示すアンテナコイル素子１０と同様である。
【００４３】
この実施例によれば、線状導体１４ａ，１４ａ，…は磁性体シートＳＨ２ａの下面から遊離するように非磁性体シートＳＨ１ａおよびＳＨ１ａ＿１によって支持される。同様に、線状導体１４ｂ，１４ｂ，…も、磁性体シートＳＨ２ｃの上面から遊離するように非磁性体シートＳＨ１ｂによって支持される。線状導体１４ａ，１４ａ，…，１４ｂ，１４ｂ，…は非磁性体によって囲まれ、これによって磁界の放射特性（つまり通信距離）が改善される。
【００４４】
図１１〜図１２を参照して、その他の実施例のコイルアンテナ素子１０は、線状導体１４ｂ，１４ｂ，…が磁性体シートＳＨ２ｃの上面に加えて非磁性体シートＳＨ１ｂの上面にも形成される点、およびビアホール導体１４ｃ，１４ｃ，…，１４ｄ，１４ｄ，…が非磁性体シートＳＨ１ｂをさらに貫通する点を除き、図１に示すアンテナコイル素子１０と同様である。
【００４５】
積層体１２のＢ−Ｂ断面は、図１３（Ａ）に示す構造を有する。つまり、Ｚ軸方向から眺めて重複する２つの線状導体１４ｂおよび１４ｂは、ビアホール導体１４ｃおよび１４ｂによって並列接続される。これによって、コイル導体１４の直列抵抗（導体損）が低減され、アンテナ特性が改善される。また、積層体１２のＣ−Ｃ断面は、図１３（Ｂ）に示す構造を有する。線状導体１４ｂ，１４ｂ，…は互いに近接しているため、各々の線状導体１４ｂで生成された磁界が合成され、磁界ループが増大する。この結果、非磁性体シートＳＨ１ｂの上面の線状導体１４ｂ，１４ｂ，…が磁性体シートＳＨ２ｃから遊離していることと相俟って、磁界の放射特性がさらに改善される。
【００４６】
なお、この実施例においても、非磁性体シートＳＨ１ａ＿１を追加することによって線状導体１４ａ，１４ａ，…を磁性体シートＳＨ２ａの下面から遊離させるようにしてもよい。
【００４７】
図１４を参照して、さらにその他の実施例のコイルアンテナ素子１０は、線状導体１４ｂ，１４ｂ，…が上面に形成された別の非磁性体シートＳＨ１ｂ＿１が非磁性体シートＳＨ１ｂの上に積層され、ビアホール導体１４ｃ，１４ｃ，…，１４ｄ，１４ｄ，…が非磁性体シートＳＨ１ｂに加えて非磁性体シートＳＨ１ｂ＿１をＺ軸方向に貫通する点を除き、図１１に示すコイルアンテナ素子１０と同様である。Ｚ軸方向から眺めて重複する３つの線状導体１４ｂ，１４ｂ，１４ｂはビアホール導体１４ｃおよび１４ｄによって並列接続され、これによって、磁界の放射特性がさらに改善される。
【００４８】
なお、この実施例においても、非磁性体シートＳＨ１ａ＿１を追加することによって線状導体１４ａ，１４ａ，…を磁性体シートＳＨ２ａの下面から遊離させるようにしてもよい。
【００４９】
図１５を参照して、他の実施例のコイルアンテナ素子１０は、線状導体１４ｂ，１４ｂ，…が上面に形成された非磁性体シートＳＨ１ａ＿１が非磁性体シートＳＨ１ａおよび磁性体シートＳＨ２ａの間に積層され、ビアホール導体１４ｃ，１４ｃ，…，１４ｄ，１４ｄ，…が磁性体シートＳＨ１ａ＿１をも貫通する点を除き、図１１に示すアンテナコイル素子１０と同様である。この実施例によれば、Ｚ軸方向から眺めて重複する２つの線状導体１４ａおよび１４ａはビアホール導体１４ｃおよび１４ｄによって並列接続される。磁界の放射特性は、このような構造によっても改善される。
【００５０】
図１６を参照して、その他の実施例のコイルアンテナ素子１０は、非磁性体シートＳＨ１ｂに形成された線状導体１４ｂ，１４ｂ，…の線幅が磁性体シートＳＨ２ｃに形成された線状導体１４ｂ，１４ｂ，…の線幅よりも拡大される点を除き、図１１に示すコイルアンテナ素子１０と同様である。この実施例によれば、線状導体１４ｂの線幅は、磁性体シートＳＨ２ｃの上面からの距離が増大するほど拡大される。換言すれば、Ｚ軸の正側から眺めたとき、磁性体シートＳＨ２ｃの上面に形成された線状導体１４ｂ，１４ｂ，…は、磁性体シートＳＨ１ｂの上面に形成された線状導体１４ｂ，１４ｂ，…によって覆われる。これによって、コイル導体１４の直列抵抗（導体損）がさらに低減されるとともに、放射特性がさらに改善される。
【００５１】
なお、この実施例においても、非磁性体シートＳＨ１ａ＿１を追加することによって線状導体１４ａ，１４ａ，…を磁性体シートＳＨ２ａの下面から遊離させるようにしてもよい。
【００５２】
図１７〜図１８を参照して、さらにその他の実施例のコイルアンテナ素子１０は、非磁性体シートＳＨ１ｂの上面に形成された線状導体１４ｂ，１４ｂ，…は、Ｚ軸方向から眺めたときに磁性体シートＳＨ２ｃの上面に形成された線状導体１４ｂ，１４ｂ，…との重複が回避されるように位置決めされる。したがって、積層体１２のＤ−Ｄ断面は図１９に示す構造を有する。線状導体１４ｂ，１４ｂ，…の厚みに起因して積層体１２の上面に形成される凹凸は、非磁性体シートＳＨ１ｂの上面の線状導体１４ｂと磁性体シートＳＨ２ｃの上面の線状導体１４ｂとをＺ軸方向から眺めて交互に配置することで抑制される。
【００５３】
なお、この実施例では、非磁性体シートＳＨ１ｂの上面に形成された線状導体１４ｂ，１４ｂ，…の線幅は磁性体シートＳＨ２ｃの上面に形成された線状導体１４ｂ，１４ｂ，…の線幅とほぼ一致する。しかし、非磁性体シートＳＨ１ｂの上面に形成された線状導体１４ｂ，１４ｂ，…の線幅を磁性体シートＳＨ２ｃの上面に形成された線状導体１４ｂ，１４ｂ，…の線幅よりも拡大するようにしてもよい。
【００５４】
また、この実施例においても、非磁性体シートＳＨ１ａ＿１を追加することによって線状導体１４ａ，１４ａ，…を磁性体シートＳＨ２ａの下面から遊離させるようにしてもよい。
【００５５】
図２０を参照して、他の実施例のコイルアンテナ素子１０は、ＲＦＩＣ素子２０，複数の受動素子３０，３０，…およびこれらを互いに接続する配線導体ＬＤが非磁性体シートＳＨ１ｂに実装される点、およびコイル導体１４の両端をなすビアホール導体１４ｃおよび１４ｄが磁性体シートＳＨ１ｂを貫通して配線導体ＬＤと接続される点を除き、図１に示すアンテナコイル素子１０と同様である。これによって、省スペース化が図られるとともに、配線導体ＬＤの長さの短縮化による導体損の低減が図られる。
【００５６】
なお、この実施例においても、非磁性体シートＳＨ１ａ＿１を追加することによって線状導体１４ａ，１４ａ，…を磁性体シートＳＨ２ａの下面から遊離させるようにしてもよい。
【００５７】
図２１を参照して、その他の実施例では、２つのインダクタンス素子６０ａおよび６０ｂがプリント配線板４０に追加的に実行される。実装位置は、プリント配線板４０の端部の近傍でかつコイル導体１４の巻回軸と交差する位置とされる。また、インダクタンス素子６０ａの一方端はアンテナコイル素子４０の一方端と接続され、インダクタンス素子６０ｂの一方端はアンテナコイル素子４０の他方端と接続される。
【００５８】
こうして作製されたアンテナモジュール５０の等価回路は、図２２に示すように構成される。図２２によれば、インダクタＬ１の一方端はインダクタＬ４を介してキャパシタＣ２の一方端と接続され、インダクタＬ１の他方端はインダクタＬ５を介してキャパシタＣ３の一方端と接続される。なお、キャパシタＣ１の一方端はインダクタＬ４とキャパシタＣ２との接続点に接続され、キャパシタＣ１の他方端はインダクタＬ５とキャパシタＣ３との接続点に接続される。
【００５９】
このように、コイルアンテナ素子４０にインダクタンス素子６０ａおよび６０ｂを接続することで、アンテナモジュール５０全体としてインダクタンス値を高めることができる。また、コイルアンテナ素子５０，インダクタンス素子６０ａおよび６０ｂのいずれもプリント配線板４０の端部の近傍に配置されるため、インダクタンス値の改善と相俟ってアンテナ特性の向上が図られる。
【００６０】
なお、この実施例では、チップ型のインダクタ素子６０ａおよび６０ｂをプリント配線板４０に実装するようにしているが、これに代えてミアンダ電極や螺旋電極などの平面電極パターンをインダクタ素子としてプリント配線板４０に形成するようにしてもよい。
【符号の説明】
【００６１】
１０  …コイルアンテナ素子
１２  …積層体
１４  …コイル導体
１４ａ〜１４ｂ  …線状導体
１４ｃ〜１４ｄ  …ビアホール導体
ＳＨ１ａ〜ＳＨ１ｃ  …非磁性体シート
ＳＨ２ａ〜ＳＨ２ｃ  …磁性体シート
２０  …ＲＦＩＣ
３０  …受動素子
６０ａ，６０ｂ  …インダクタンス素子
【図１】
2015128302.tif 000003
【図２】
2015128302.tif 000004
【図３】
2015128302.tif 000005
【図４】
2015128302.tif 000006
【図５】
2015128302.tif 000007
【図６】
2015128302.tif 000008
【図７】
2015128302.tif 000009
【図８】
2015128302.tif 000010
【図９】
2015128302.tif 000011
【図１０】
2015128302.tif 000012
【図１１】
2015128302.tif 000013
【図１２】
2015128302.tif 000014
【図１３】
2015128302.tif 000015
【図１４】
2015128302.tif 000016
【図１５】
2015128302.tif 000017
【図１６】
2015128302.tif 000018
【図１７】
2015128302.tif 000019
【図１８】
2015128302.tif 000020
【図１９】
2015128302.tif 000021
【図２０】
2015128302.tif 000022
【図２１】
2015128302.tif 000023
【図２２】
2015128302.tif 000024